(57)【要約】【課題】入力信号の映像方式が切り替わる際に、入力信号の映像方式と映像信号処理装置の映像方式とが一致していない期間においても、適切にＹＣ分離した信号を出力することができる映像信号処理装置を提供する。【解決手段】ＮＴＳＣ方式とＰＡＬ方式に対応した２次元ＹＣ分離回路１０と、ＢＰＦを用いてＹＣ分離する周波数分離回路２０と、映像方式が切り替わったかどうかを判別し、該映像方式が切り替わった時に、２次元ＹＣ分離回路１０の方式を切り替える映像方式判別回路１２と、映像方式が遷移期間にあるかどうかを判別し、その判別結果を示す遷移期間信号を出力する遷移期間判別回路１７と、遷移期間信号に基づいて、映像方式が遷移期間にあるときには周波数分離回路２０から出力される信号を選択し、それ以外のときに２次元ＹＣ分離回路１０から出力される信号を選択する選択部２１、２２とを備える。【選択図】　　　図１
2004007278.tif 000002
【特許請求の範囲】
【請求項１】
複合映像信号を、複数の映像方式のうちいずれかの方式により、メモリを用いてＹＣ分離するメモリ使用型ＹＣ分離手段と、
バンドパスフィルタを用いて前記複合映像信号をＹＣ分離する周波数分離型ＹＣ分離手段と、
前記複合映像信号の映像方式が切り替わったかどうかを判別し、該映像方式が切り替わったと判別した時に、前記メモリ使用型ＹＣ分離手段の映像方式を切り替える映像方式判別手段と、
映像方式が遷移期間にあるかどうかを判別し、その判別結果を示す遷移期間信号を出力する遷移期間判別手段と、
前記遷移期間信号に基づいて、映像方式が遷移期間にあるときには、前記周波数分離型ＹＣ分離手段から出力される信号を選択し、それ以外のときには、前記メモリ使用型ＹＣ分離手段から出力される信号を選択する選択手段と、
を備えたことを特徴とする映像信号処理装置。
【請求項２】
請求項１記載の映像信号処理装置において、
前記複合映像信号からバースト信号を抜き取るバースト抜き取り手段と、
出力クロック信号と前記バースト信号とを比較し、その比較結果である位相誤差信号に基づいて、該出力クロック信号を前記バースト信号にロックするよう制御するバーストロック手段と、をさらに備え、
前記映像方式判別手段は、前記位相誤差信号に基づいて前記映像方式が切り替わったかどうかを判別するものであり、
前記遷移期間判別手段は、前記位相誤差信号に基づいて前記映像方式が遷移期間にあるかどうかを判別するものである、
ことを特徴とする映像信号処理装置。
【請求項３】
請求項２記載の映像信号処理装置において、
前記映像方式判別手段は、前記位相誤差信号と第１のしきい値とを比較することにより、前記映像方式が切り替わったかどうかを判別するものであり、
前記遷移期間判別手段は、前記位相誤差信号と前記第１のしきい値よりも小さい第２のしきい値とを比較することにより、前記映像方式が遷移期間にあるかどうかを判別するものである、
ことを特徴とする映像信号処理装置。
【請求項４】
請求項１ないし３のいずれかに記載の映像信号処理装置において、
前記周波数分離型ＹＣ分離手段は、前記複数の映像方式のすべての映像方式の色副搬送波周波数を通過させるバンドパスフィルタを用いる、
ことを特徴とする映像信号処理装置。
【発明の詳細な説明】
【０００１】
【発明の属する技術分野】
本発明は、複数の映像方式の映像信号を処理する映像信号処理装置に関し、特に輝度信号と色信号が重畳された複合映像信号を輝度信号及び色信号にＹＣ分離する映像信号処理装置に関する。
【０００２】
【従来の技術】
カラーテレビジョン放送で用いられる映像方式には、ＮＴＳＣ方式やＰＡＬ方式など様々な方式がある。例えばＮＴＳＣ方式では色副搬送波周波数が３．５７９５４５ＭＨｚであり、ＰＡＬ方式では色副搬送波周波数が４．４３３６１８７５ＭＨｚである。ヨーロッパなどでは１つの地域で複数の映像方式の放送を受信できる地域もあるため、テレビやビデオ等の複数のカラーテレビジョン放送を扱う機器には複数の映像方式に対応したものがある。また、このような機器は映像方式を手動で設定したり、映像方式を自動で判別する映像方式判別装置を設けて映像信号の方式を自動設定することにより、それぞれの映像方式に応じた方法でＹＣ分離などの信号処理を行っている。
【０００３】
図５は、そのようなＹＣ分離を行う従来の映像信号処理装置の構成を示すブロック図である。
図５において、従来の映像信号処理装置は、２次元ＹＣ分離回路１０と、バースト抜き取り回路１１と、映像方式判別回路１２と、選択部１３と、ＡＰＣ（Ａｕｔｏｍａｔｉｃ　Ｐｈａｓｅ　Ｃｏｎｔｒｏｌ）回路１４と、ＮＴＳＣ水晶発振器１５と、ＰＡＬ水晶発振器１６とを備える。
【０００４】
２次元ＹＣ分離回路１０は、入力信号である輝度信号（Ｙ）に色信号（Ｃ）が重畳されたコンポジット（複合映像）信号Ｓ１０を、ＮＴＳＣ方式またはＰＡＬ方式により、ラインメモリを用いてＹＣ分離して輝度信号（Ｙ信号）Ｓ１２と、色信号（Ｃ信号）Ｓ１３とを出力するものであり、１水平ライン（１Ｈ）遅延部１０１、１０２と、１Ｈ遅延部１０１の出力、または１Ｈ遅延部１０２の出力を選択する選択部１０３と、加算器１０４と、減算器１０６と、除算器１０５、１０７とを有する。
【０００５】
バースト抜き取り回路１１は、コンポジット信号Ｓ１０からバースト信号を抜き出す。映像方式判別回路１２は、位相誤差信号Ｓ１５に基づいてコンポジット信号Ｓ１０の映像方式が切り替わったかどうかを判別し、映像方式が切り替わったと判別した時に、２次元ＹＣ分離回路１０に出力しているＮＴＳＣ／ＰＡＬ切替信号Ｓ１１の“Ｈｉｇｈ”と“Ｌｏｗ”を切り替える。
【０００６】
ＡＰＣ回路１４は、２次元ＹＣ分離回路１０でＹＣ分離を行っている映像方式に対応した基準クロックを選択部１３から受け、その基準クロックを基にしてバースト信号にロックしたクロック信号を出力するため、出力クロック信号とバースト信号とを比較し、その比較結果に基づいて、出力クロック信号が該バースト信号にロックするように出力クロック信号を制御するものであり、位相検波回路１１０と、位相比較回路１１１と、ローパスフィルタ（ＬＰＦ）１１２と、電圧制御発振器１１３とを有する。
【０００７】
次に、従来の映像信号処理装置の動作について説明する。
２次元ＹＣ分離回路１０は、ＮＴＳＣ方式とＰＡＬ方式の映像方式に対応している。ＮＴＳＣ方式では、コンポジット信号Ｓ１０の隣り合う水平ライン信号間においてＹ信号に相関関係があり、Ｃ信号の位相が逆位相になっている。一方、ＰＡＬ方式では、ある水平ライン信号とその信号から２Ｈ前の水平ライン信号との間においてＹ信号に相関関係があり、Ｃ信号の位相が逆位相になっている。これらの関係を利用して、２次元ＹＣ分離回路１０はＹＣ分離を行なう。
【０００８】
２次元ＹＣ分離回路１０のシステムクロックは、ＮＴＳＣ方式のときは、色副搬送波周波数の４倍の周波数である１４．３１８１８ＭＨｚであり、ＰＡＬ方式のときは、１７．７３４４７５ＭＨｚであるとすると、１Ｈ遅延部１０１、１０２で遅延させる１水平ラインのサンプル数はＮＴＳＣ方式のときには、水平同期周波数が１５．７３４ｋＨｚであるので、
１４．３１８１８ＭＨｚ÷１５．７３４ｋＨｚ≒９１０
となる。またＰＡＬ方式のときには、水平同期周波数が１５．６２５ｋＨｚであるので、
１７．７３４４７５ＭＨｚ÷１５．６２５ｋＨｚ≒１１３５
となる。
【０００９】
したがって、ＮＴＳＣ方式のコンポジット信号Ｓ１０をＹＣ分離するときには、ＮＴＳＣ／ＰＡＬ切替信号Ｓ１１により、１Ｈ遅延部１０１は９１０クロック遅延に設定され、選択部１０３はＮＴＳＣ方式側、すなわち１Ｈ遅延部１０１の出力側を選択するように設定される。そしてまず、入力されたコンポジット信号Ｓ１０は、１Ｈ遅延部１０１で１水平ライン分、すなわち９１０サンプル分遅延される。加算器１０４は、その１水平ライン分遅延された信号と、入力信号とを加算して色信号を除去する。除算器１０５は、加算後の信号を２で除算してＹ信号Ｓ１２として出力する。また、減算器１０６は、１Ｈ遅延部１０１で１水平ライン分遅延された信号を、入力信号から減算して輝度信号を除去する。除算器１０７は、減算後の信号を２で除算してＣ信号Ｓ１３として出力する。
【００１０】
一方、ＰＡＬ方式のコンポジット信号Ｓ１０をＹＣ分離するときには、ＮＴＳＣ／ＰＡＬ切替信号Ｓ１１により、１Ｈ遅延部１０１は１１３５クロック遅延に設定され、選択部１０３はＰＡＬ方式側、すなわち１Ｈ遅延部１０２の出力側を選択するように設定される。ここで、１Ｈ遅延部１０２はＰＡＬ方式でしか用いられないため、はじめから１１３５クロック遅延に設定されている。そしてまず１Ｈ遅延部１０１、１０２で２水平ライン分、すなわち２２７０（１１３５×２）サンプル分の信号が遅延される。加算器１０４は、その２水平ライン分遅延された信号と、入力信号とを加算して色信号を除去する。除算器１０５は、加算後の信号を２で除算してＹ信号Ｓ１２として出力する。また、減算器１０６は、１Ｈ遅延部１０１、１０２で２水平ライン分遅延された信号を、入力信号から減算して輝度信号を除去する。除算器１０７は、減算後の信号を２で除算してＣ信号Ｓ１３として出力する。
バースト抜き取り回路１１は、コンポジット信号Ｓ１０からバースト信号を抜き取り、そのバースト信号を位相比較回路１１１に出力する。
【００１１】
位相検波回路１１０は、バーストロッククロックＳ１４からその信号の位相を検波して位相比較回路１１１に出力する。位相比較回路１１１は、位相検波回路１１０からの位相とバースト信号の位相とを比較し、それらの位相の誤差を位相誤差信号Ｓ１５としてＬＰＦ１１２と映像方式判別回路１２とに出力する。位相誤差信号Ｓ１５は、ＬＰＦ１１２でフィルタリングされた後、電圧制御発振器１１３に入力される。電圧制御発振器１１３は、選択部１３により選択されたＮＴＳＣ水晶発振器１５またはＰＡＬ水晶発振器１６からの基準クロックを、ＬＰＦ１１２でフィルタリングされた位相誤差信号Ｓ１５に基づいて制御し、バースト信号に位相ロックしたバーストロッククロックＳ１４を生成する。
【００１２】
映像方式判別回路１２は、位相誤差信号Ｓ１５の絶対値と所定のしきい値とを比較する。そして、位相誤差信号Ｓ１５の絶対値がそのしきい値よりも大きい場合には、コンポジット信号Ｓ１０の映像方式と、本装置の映像方式とが一致していないと判断し、ＮＴＳＣ／ＰＡＬ切替信号Ｓ１１を反転させることにより、選択部１３の選択を切り替え、２次元ＹＣ分離回路１０での映像方式を切り替える。一方、位相誤差信号Ｓ１５の絶対値が所定のしきい値よりも小さい場合には、コンポジット信号Ｓ１０の映像方式と、本装置の映像方式とが一致していると判断し、ＮＴＳＣ／ＰＡＬ切替信号Ｓ１１をそのまま維持する。
【００１３】
次に、コンポジット信号Ｓ１０の映像方式がＮＴＳＣ方式からＰＡＬ方式に切り替わる際の動作について、図６を用いて説明する。
図６は、コンポジット信号Ｓ１０の映像方式がＮＴＳＣ方式からＰＡＬ方式に切り替わる際の位相誤差信号Ｓ１５などの波形を示す波形図である。
【００１４】
コンポジット信号Ｓ１０の映像方式がＮＴＳＣ方式のときには、ＮＴＳＣ／ＰＡＬ切替信号Ｓ１１により１Ｈ遅延部１０１の遅延量が９１０サンプル数に設定されているとともに、選択部１０３はＮＴＳＣ側に設定されている。これにより２次元ＹＣ分離回路１０は、ＮＴＳＣ方式によりＹＣ分離を行うこととなり、１Ｈ遅延部１０１で１水平ライン分遅延された信号と、入力されたコンポジット信号Ｓ１０との間で加算や減算を行い、Ｙ信号Ｓ１２とＣ信号Ｓ１３とを出力する。
【００１５】
コンポジット信号Ｓ１０がＮＴＳＣ方式からＰＡＬ方式に切り替わると、バースト信号の周波数が３．５８ＭＨｚから４．４３ＭＨｚに変わるため、バースト抜き取り回路１１から出力されるバースト信号の位相と位相検波回路１１０から出力される位相との位相差が増大し、位相比較回路１１１から出力される位相誤差信号Ｓ１５が図６で示すように徐々に大きくなる。そして、位相誤差信号Ｓ１５がＮＴＳＣ／ＰＡＬ切替しきい値を超えたとき、図６で示すように判別タイミング信号によりＮＴＳＣ／ＰＡＬ切替信号Ｓ１１がＬｏｗからＨｉｇｈに反転する。この判別タイミング信号は、例えば数フレーム毎に定期的に映像方式判別回路１２の内部において発生させる信号等である。
【００１６】
ＮＴＳＣ／ＰＡＬ切替信号Ｓ１１がＰＡＬ設定になると、選択部１３はＰＡＬ水晶発振器１６側を選択するようになる。これによりＡＰＣ回路１４は、ＰＡＬ方式のコンポジット信号Ｓ１０にロックするように動作するので、位相誤差信号Ｓ１５は小さくなる。
【００１７】
また、ＮＴＳＣ／ＰＡＬ切替信号Ｓ１１により１Ｈ遅延部１０１の遅延量が１１３５サンプル数に設定されるとともに、選択部１０３はＰＡＬ側に設定される。これにより２次元ＹＣ分離回路１０は、ＰＡＬ方式によりＹＣ分離を行うこととなり、１Ｈ遅延部１０１、１０２で２水平ライン分遅延された信号と、入力されたコンポジット信号Ｓ１０との間で加算や減算を行い、Ｙ信号Ｓ１２とＣ信号Ｓ１３とを出力する。
【００１８】
【発明が解決しようとする課題】
しかしながら、従来の映像信号処理装置では、コンポジット信号Ｓ１０がＮＴＳＣ方式からＰＡＬ方式へ切り替わった時からＮＴＳＣ／ＰＡＬ切替信号Ｓ１１が反転して２次元ＹＣ分離回路１０の設定がＰＡＬ方式になるまでの期間は、入力信号はＰＡＬ方式にもかかわらず、信号処理はＮＴＳＣ方式でなされるため、適切にＹＣ分離することができず、正常なＹ信号Ｓ１２及びＣ信号Ｓ１３を出力することができないという問題があった。具体的には、コンポジット信号Ｓ１０の映像方式が切り替わった時からＮＴＳＣ／ＰＡＬ切替信号Ｓ１１が反転するまでの間、出力された映像が乱れてしまい、見ることができなくなるという問題があった。
【００１９】
この問題を解決するためには、図６で示されるＮＴＳＣ／ＰＡＬ切替しきい値を小さくすればよいが、そのしきい値を小さくしたときには、少しのノイズでＮＴＳＣ方式とＰＡＬ方式との切り替えが行われることとなり、実際にはコンポジット信号Ｓ１０の映像方式が切り替わっていないにもかかわらず、ＮＴＳＣ／ＰＡＬ切替信号Ｓ１１が反転するという問題が発生する。
【００２０】
本発明は上記問題点を解決するためになされたものであり、ＮＴＳＣ／ＰＡＬ切替しきい値を小さくすることなく、コンポジット信号の映像方式が切り替わる際に、コンポジット信号の映像方式とＹＣ分離回路の映像方式とが一致していない期間においても、コンポジット信号を適切にＹＣ分離し、正常なＹ信号、及びＣ信号を出力することができる映像信号処理装置を提供することを目的とする。
【００２１】
【課題を解決するための手段】
上記目的を達成するため、本発明にかかる映像信号処理装置は、複合映像信号を、複数の映像方式のうちいずれかの方式により、メモリを用いてＹＣ分離するメモリ使用型ＹＣ分離手段と、バンドパスフィルタを用いて前記複合映像信号をＹＣ分離する周波数分離型ＹＣ分離手段と、前記複合映像信号の映像方式が切り替わったかどうかを判別し、該映像方式が切り替わったと判別した時に、前記メモリ使用型ＹＣ分離手段の映像方式を切り替える映像方式判別手段と、映像方式が遷移期間にあるかどうかを判別し、その判別結果を示す遷移期間信号を出力する遷移期間判別手段と、前記遷移期間信号に基づいて、映像方式が遷移期間にあるときには、前記周波数分離型ＹＣ分離手段から出力される信号を選択し、それ以外のときには、前記メモリ使用型ＹＣ分離手段から出力される信号を選択する選択手段とを備えたことを特徴とするものである。
【００２２】
また、本発明にかかる映像信号処理装置は、前記映像信号処理装置において、前記複合映像信号からバースト信号を抜き取るバースト抜き取り手段と、出力クロック信号と前記バースト信号とを比較し、その比較結果である位相誤差信号に基づいて、該出力クロック信号を前記バースト信号にロックするよう制御するバーストロック手段と、をさらに備え、前記映像方式判別手段は、前記位相誤差信号に基づいて前記映像方式が切り替わったかどうかを判別するものであり、前記遷移期間判別手段は、前記位相誤差信号に基づいて前記映像方式が遷移期間にあるかどうかを判別するものであることを特徴とするものである。
【００２３】
また、本発明による映像信号処理装置は、前記映像信号処理装置において、前記映像方式判別手段は、前記位相誤差信号と第１のしきい値とを比較することにより、前記映像方式が切り替わったかどうかを判別するものであり、前記遷移期間判別手段は、前記位相誤差信号と前記第１のしきい値よりも小さい第２のしきい値とを比較することにより、前記映像方式が遷移期間にあるかどうかを判別するものであることを特徴とするものである。
【００２４】
また、本発明による映像信号処理装置は、前記映像信号処理装置において、前記周波数分離型ＹＣ分離手段は、前記複数の映像方式のすべての映像方式の色副搬送波周波数を通過させるバンドパスフィルタを用いることを特徴とするものである。
【００２５】
【発明の実施の形態】
（実施の形態１）
以下、本発明の実施の形態１による映像信号処理装置について、図面を参照しながら説明する。
図１は、本実施の形態１による映像信号処理装置の構成を示すブロック図である。
【００２６】
図１において、本実施の形態１による映像信号処理装置は、２次元ＹＣ分離回路１０と、バースト抜き取り回路１１と、映像方式判別回路１２と、選択部１３と、ＡＰＣ回路１４と、ＮＴＳＣ水晶発振器１５と、ＰＡＬ水晶発振器１６と、遷移期間判別回路１７と、周波数分離回路２０と、選択部２１、２２とを備える。なお、遷移期間判別回路１７、周波数分離回路２０、及び選択部２１、２２以外の構成及び動作は、従来例と同様であり、その説明を省略する。ここで、本実施の形態１では、２次元ＹＣ分離回路１０を用いた構成について説明するが、このＹＣ分離回路は、フレームメモリを用いてＹＣ分離を行う３次元ＹＣ分離回路であってもよい。
【００２７】
遷移期間判別回路１７は、位相誤差信号Ｓ１５に基づいて、映像方式が遷移期間にあるかどうかを判別し、その判別結果を示す遷移期間信号Ｓ２０を出力する。ここで、映像方式が遷移期間にあるとは、コンポジット信号Ｓ１０の映像方式が切り替わった後に、ＡＰＣ回路１４からのバーストロッククロックＳ１４がその切り替わった後の映像方式に適切に対応していないため、２次元ＹＣ分離回路１０において適切なＹＣ分離を行うことのできない期間にあることをいう。
【００２８】
該遷移期間は、本実施の形態１においては、映像方式が切り替わったのちに位相誤差信号Ｓ１５が遷移期間しきい値を越えたタイミングから、ＮＴＳＣ／ＰＡＬ切替信号Ｓ１１が、上記映像方式の切り替わりを検出して切り替わるタイミングまでとしている。
【００２９】
周波数分離回路２０は、バンドパスフィルタを用いて周波数分離によりコンポジット信号Ｓ１０をＹＣ分離するものであり、バンドパスフィルタ（ＢＰＦ）２０１と、トラップ回路２０２とを備える。選択部２１、２２は、遷移期間信号Ｓ２０に基づいて、映像方式が遷移期間にあるときには周波数分離回路２０からのＹ信号、及びＣ信号をそれぞれ選択し、それ以外のときに２次元ＹＣ分離回路１０からのＹ信号、及びＣ信号をぞれぞれ選択する。
【００３０】
次に、本実施の形態１による映像信号処理装置の動作について説明する。
２次元ＹＣ分離回路１０、バースト抜き取り回路１１、及びＡＰＣ回路１４の動作は、従来例と同様であるため、まず、周波数分離回路２０の動作について説明する。
【００３１】
周波数分離回路２０のＢＰＦ２０１は、３．５８ＭＨｚ（ＮＴＳＣ方式の色副搬送波周波数）から４．４３ＭＨｚ（ＰＡＬ方式の色副搬送波周波数）までの周波数を通過させる。このＢＰＦ２０１の周波数特性は、例えば図３で示される。ＢＰＦ２０１から出力される信号は、Ｃ信号が主成分の信号であり、選択部２２に出力される。トラップ回路２０２は、３．５８ＭＨｚから４．４３ＭＨｚまでの周波数を減衰させる。トラップ回路２０２から出力される信号は、Ｙ信号が主成分の信号であり、選択部２１に出力される。このようにして、周波数分離回路２０は、コンポジット信号Ｓ１０の映像方式に依存せずにコンポジット信号Ｓ１０をＹＣ分離することができる。
【００３２】
次に、コンポジット信号Ｓ１０の映像方式がＮＴＳＣ方式からＰＡＬ方式に切り替わる際の動作について、図２を用いて説明する。
図２は、コンポジット信号Ｓ１０の映像方式がＮＴＳＣ方式からＰＡＬ方式に切り替わる際の位相誤差信号Ｓ１５などの波形を示す波形図である。
図２において、コンポジット信号Ｓ１０の映像方式がＮＴＳＣ方式で安定しているときには、遷移期間信号Ｓ２０は“Ｌｏｗ”であり、選択部２１、２２は２次元ＹＣ分離回路１０の出力を選択している。
【００３３】
コンポジット信号Ｓ１０の映像方式がＮＴＳＣ方式からＰＡＬ方式に切り替わると、従来例で説明したように、位相誤差信号Ｓ１５が徐々に増大する。遷移期間判別回路１７は、その位相誤差信号Ｓ１５の絶対値と遷移期間しきい値とを比較し、位相誤差信号Ｓ１５の絶対値が遷移期間しきい値を超えると、映像方式が遷移期間にあると判別し、その判別結果を示す遷移期間信号Ｓ２０を“Ｈｉｇｈ”にする。この遷移期間信号Ｓ２０の変化により、選択部２１、２２は周波数分離回路２０の出力を選択するように切り替わる。ここで、遷移期間しきい値は、ＮＴＳＣ／ＰＡＬ切替しきい値よりも小さい値に設定されている。
【００３４】
位相誤差信号Ｓ１５の値がさらに増大し、ＮＴＳＣ／ＰＡＬ切替しきい値を超えると、所定周期の判別タイミング信号Ｓ１６の次のタイミングでＮＴＳＣ／ＰＡＬ切替信号Ｓ１１がＬｏｗからＨｉｇｈに反転する。そして、２次元ＹＣ分離回路１０の設定がＮＴＳＣ方式からＰＡＬ方式に変更され、２次元ＹＣ分離回路１０は、コンポジット信号Ｓ１０の映像方式と一致した映像方式の処理を行うようになり、適切にＹＣ分離を行えるようになる。遷移期間判別回路１７は、映像方式判別回路１２から図示しない経路によりＮＴＳＣ／ＰＡＬ切替信号Ｓ１１が反転するタイミングを受け取り、そのタイミングで遷移期間信号Ｓ２０を“Ｌｏｗ”にする。よって、その後、選択部２１、２２は、２次元ＹＣ分離回路１０の出力であるＰＡＬ方式でＹＣ分離された信号を選択する。
【００３５】
なお、遷移期間判別回路１７は、ＮＴＳＣ／ＰＡＬ切替信号Ｓ１１が切り替わるタイミングまでを遷移期間と判別するとしたが、位相誤差信号Ｓ１５が大きい範囲で２次元ＹＣ分離回路１０の出力が選択されるようにすると、クロスカラーやドット妨害が目立つ場合もあるため、図４の波形図で示すように、位相誤差信号Ｓ１５が遷移期間しきい値よりも小さくなるまでを遷移期間と判別し、その遷移期間の間、遷移期間信号Ｓ２０を“Ｈｉｇｈ”にしてもよい。
【００３６】
このように、本実施の形態１による映像信号処理装置によれば、映像方式に応じてラインメモリを用いてコンポジット信号Ｓ１０をＹＣ分離する２次元ＹＣ分離回路１０と、周波数分離によりコンポジット信号Ｓ１０をＹＣ分離する周波数分離回路２０と、位相比較回路１１１からの位相誤差信号Ｓ１５に基づいて、映像方式が遷移期間にあるかどうかを判別し、その判別結果を示す遷移期間信号Ｓ２０を出力する遷移期間判別回路１７と、遷移期間信号Ｓ２０に基づいて、映像方式が遷移期間にあるときには、周波数分離回路２０から出力される信号を選択し、それ以外のときには、２次元ＹＣ分離回路１０から出力される信号を選択する選択部２１、２２とを備えたことで、コンポジット信号Ｓ１０の映像方式が切り替わる際に、コンポジット信号Ｓ１０の映像方式と２次元ＹＣ分離回路１０の映像方式とが一致していない期間においても、コンポジット信号Ｓ１０を周波数分離回路２０により適切にＹＣ分離することができ、正常なＹ信号、及びＣ信号を出力することができる。
【００３７】
なお、映像方式判別回路１２は位相誤差信号Ｓ１５の大小のみによって映像方式を判別するとしたが、コンポジット信号Ｓ１０が白黒映像信号のときに色処理を止めるカラーキラー回路や、ＮＴＳＣ方式とＰＡＬ方式との垂直ライン数の違いにより、ＮＴＳＣ方式とＰＡＬ方式とを判別する垂直同期周波数検出回路等を組み合わせることにより、映像方式の判別の誤りを防止するようにしてもよい。
【００３８】
また、本実施の形態による映像信号処理装置のうち、プログラム制御により実現可能な構成については、ハードウェアで構成してもよく、あるいはプログラム制御のソフトウェアで構成してもよい。
【００３９】
【発明の効果】
以上の説明から明らかなように、本発明にかかる映像信号処理装置によれば、複合映像信号を、複数の映像方式のうちいずれかの方式により、メモリを用いてＹＣ分離するメモリ使用型ＹＣ分離手段と、バンドパスフィルタを用いて前記複合映像信号をＹＣ分離する周波数分離型ＹＣ分離手段と、前記複合映像信号の映像方式が切り替わったかどうかを判別し、該映像方式が切り替わったと判別した時に、前記メモリ使用型ＹＣ分離手段の映像方式を切り替える映像方式判別手段と、映像方式が遷移期間にあるかどうかを判別し、その判別結果を示す遷移期間信号を出力する遷移期間判別手段と、前記遷移期間信号に基づいて、映像方式が遷移期間にあるときには、前記周波数分離型ＹＣ分離手段から出力される信号を選択し、それ以外のときには、前記メモリ使用型ＹＣ分離手段から出力される信号を選択する選択手段とを備えたことで、前記複合映像信号の映像方式が切り替わる際に、前記複合映像信号の映像方式と前記メモリ使用型ＹＣ分離手段の映像方式とが一致していない期間においても、前記複合映像信号を前記周波数分離型ＹＣ分離手段により適切にＹＣ分離することができ、正常なＹ信号、及びＣ信号を出力することができる効果が得られる。
【００４０】
また、本発明にかかる映像信号処理装置によれば、前記映像信号処理装置において、前記周波数分離型ＹＣ分離手段が、前記複数の映像方式のすべての映像方式の色副搬送波周波数を通過させるバンドパスフィルタを用いることで、前記遷移期間においては、前記周波数分離型ＹＣ分離手段により、映像方式に依存しないで前記複合映像信号をＹＣ分離することができる。
【図面の簡単な説明】
【図１】本発明の実施の形態１による映像信号処理装置の構成を示すブロック図である。
【図２】本発明の実施の形態１における位相誤差信号などの波形を示す波形図である。
【図３】本発明の実施の形態１におけるバンドパスフィルタの周波数特性を説明するための図である。
【図４】本発明の実施の形態１における位相誤差信号，遷移期間信号などの波形を示す波形図である。
【図５】従来の映像信号処理装置の構成を示すブロック図である。
【図６】従来の映像信号処理装置における位相誤差信号などの波形を示す波形図である。
【符号の説明】
１０　２次元ＹＣ分離回路
１１　バースト抜き取り回路
１２　映像方式判別回路
１３、２１、２２、１０３　選択部
１４　ＡＰＣ回路
１５　ＮＴＳＣ水晶発振器
１６　ＰＡＬ水晶発振器
２０　周波数分離回路
１０１、１０２　１Ｈ遅延部
１０４　加算器
１０５、１０７　除算器
１０６　減算器
１１０　位相検波回路
１１１　位相比較回路
１１２　ローパスフィルタ（ＬＰＦ）
１１３　電圧制御発振器
２０１　バンドパスフィルタ（ＢＰＦ）
２０２　トラップ回路
Ｓ１０　コンポジット信号
Ｓ１１　ＮＴＳＣ／ＰＡＬ切替信号
Ｓ１２　Ｙ信号
Ｓ１３　Ｃ信号
Ｓ１４　バーストロッククロック
Ｓ１５　位相誤差信号
Ｓ１６　判別タイミング信号
Ｓ２０　遷移期間信号
【図１】
2004007278.tif 000003
【図２】
2004007278.tif 000004
【図３】
2004007278.tif 000005
【図４】
2004007278.tif 000006
【図５】
2004007278.tif 000007
【図６】
2004007278.tif 000008